Podtech/llm-jp-corpus-v4-ja_patent huggingface dataset:
(57)【要約】【課題】  フッ素除去設備を設置する必要なく、平滑な電着鉛を回収することができる鉛の電解方法が要望されている。【解決手段】電解液中に鉛を２０〜１００g/L、スルファミン酸を２０〜１００g/Lにすることにより平滑な電着鉛を回収することを特徴とする鉛の電解方法。【選択図】  図１
2010248608.tif 000002
【特許請求の範囲】
【請求項１】
電解液中に鉛を２０〜１２０g/L、スルファミン酸を２０〜１００g/Lにすることにより高純度の鉛を回収することを特徴とする鉛の電解方法。
【請求項２】
電解液中にノイゲンBN-1390及び又はノイゲン  BN-2560を１〜７００mg/Lになるように添加することで平滑で高純度の鉛を回収することを特徴とする鉛の電解方法。
【請求項３】
電流密度を１００A/m２以下にすることにより高純度の鉛を回収することを特徴とする鉛の電解方法。  
【発明の詳細な説明】
【技術分野】
【０００１】
本発明は、非鉄製錬、基盤や電子部品などリサイクル原料の溶融炉、及び産業廃棄物を溶融処理する乾式炉より発生する乾式煙灰中に含まれているPbを回収する方法に関する。
【背景技術】
【０００２】
非鉄製錬、基盤や電子部品などリサイクル原料の溶融炉、及び産業廃棄物を溶融処理する乾式炉より非鉄製錬の乾式煙灰中に含まれているPbを回収するため、煙灰を硫酸浸出し、硫酸鉛にした後、電気炉で溶融還元を行う。溶融還元により分離されたメタルをソーダ処理し、その後、メタルをアノード鋳造した後、珪フッ素酸浴中にて電解精製することでPbを回収している。  
【０００３】
上記方法において、原料中に含まれるBiは、ソーダ処理では、処理できず、電解精製で殿物として除去する。しかし、Bi品位が高い原料を処理した場合、電解精製での電気鉛中のBi品位が高くなり、再度、電解精製によりBiを除去する必要がある。非特許文献１に示されたBetts法では、電解浴が、珪フッ酸であるため、排水処理において、フッ素除去設備が必要になり、処理フローシートが煩雑と成り好ましくない。
【非特許文献１】Betts法の記載    242-243頁  昭和39年2月20日発行「非鉄金属製錬」日本金属学会  発行
【発明の開示】
【発明が解決しようとする課題】
【０００４】
従来の技術に対して、高Bi品位のアノードに対しても高純度の鉛を回収することができる鉛の電解方法を提供することを目的とする。
【課題を解決するための手段】
【０００５】
本発明者等は、上記の課題を解決するため以下の発明を成した。（１）電解液中に鉛を２０〜１２０g/L、スルファミン酸を２０〜１００g/Lにすることにより高純度の鉛を回収する鉛の電解方法。（２）電解液中にノイゲンBN-1390及び又はノイゲン  BN-2560を１〜７００mg/Lになるように添加することで平滑で高純度の鉛を回収する鉛の電解方法。（３)電流密度を１００A/m２以下にすることにより高純度の鉛を回収する特徴とする鉛の電解方法。
【発明の効果】
【０００６】
本発明によれば、（１）高Bi品位の鉛アノードから効率よく、Bi品位が、５ｐｐｍ以下の極めて低い高純度の鉛を回収することができることを特徴とする鉛の電解方法を見出した。（２）電着面が、平滑な電着が容易に得られる。
【発明を実施するための最良の形態】
【０００７】
以下に本発明をさらに詳細に説明する。  原料は、本発明の鉛含有物は、鉛  70〜90mass％、錫  0.04mass％、ビスマス10〜30mass％含有する。例えば、上記鉛含有物を、アノード鋳造をし、そのアノードを用いて電解精製を行う。アノードのサイズとしては、カソードのサイズに比べ小さくすることで、エッジ効果を防ぐことができ、平滑で良好な電着鉛を回収することができる。  
【０００８】
電解液として、鉛、スルファミン酸と電着状態の関係を確認した結果、図1に示す通り、スルファミン酸の濃度は、20〜100g/L、鉛濃度は、20〜１２０g/L、より好ましくは、40〜80g/Lである。更に平滑剤としては、ノイゲン  BN-1390及び又はノイゲン  BN-2560を１〜７００mg/L、より好ましくは、1〜10mg/Lにすることで、平滑で良好な電着鉛を図2に示すように回収することができる。  
【０００９】
次に電流密度とカソード中のBi品位の関係を確認した結果、図3に示す通り、電流密度100A/m2以下、好ましくは、50から100A/m2であればＢｉ品位が、5ｐｐｍ以下の低Bi品位であると共に平滑な電着鉛を回収することができる。
【実施例】
【００１０】
（実施例１）  平滑な電着鉛を回収する方法   電解液の組成として、鉛濃度：80g/L、スルファミン酸濃度：20g/Lに調整した溶液に平滑剤としてノイゲンBN-1390を10mg/Lを添加する。高Bi品位の鉛アノードと鉛の種板または、ステンレス板をカソードとして、交互に電槽に装入する。カソードの大きさは、アノードに対して、20〜30mm程度大きくした方が、エッジ部への電流集中を緩和することができ、最適である。電極装入後、電槽内に電解液を補充し、電解液の電槽内滞留時間が1時間程度になるように給液することで、電槽内の濃度分布を均等にする。電解液の液温を、20〜30℃に調整後、電流密度100A/m2で通電することで、Ｂｉ品位が、5ｐｐｍ以下の低Bi品位の電着鉛を回収することができる。
【００１１】
（実施例２）  平滑な電着鉛を回収する方法
電解液の組成として、鉛濃度：80g/L、スルファミン酸濃度：20g/Lに調整した溶液に平滑剤としてノイゲンBN-1390を400〜700mg/Lの範囲で調整した。
高Bi品位の鉛アノードと鉛の種板または、ステンレス板をカソードとして、交互に電槽に装入する。
カソードの大きさは、アノードに対して、20〜30mm程度大きくした方が、エッジ部への電流集中を緩和することができ、最適である。
電極装入後、電槽内に電解液を補充し、電解液の電槽内滞留時間が1時間程度になるように給液することで、電槽内の濃度分布を均等にする。電解液の液温を、20〜30℃に調整後、電流密度100A/m2で通電することで、平滑な電着鉛を回収することができる。
【図面の簡単な説明】
【００１２】
【図１】本発明における一態様であるスルファミン酸濃度と電着状態の関係
【図２】本発明における一態様である添加剤と電着状態の関係
【図３】本発明における実施例２における電着状態
【図１】
2010248608.tif 000003
【図２】
2010248608.tif 000004
【図３】
2010248608.tif 000005
(57)【要約】      （修正有）【課題】優れた硬度、強度、電気伝導性、耐磨耗性を有する、金属ナノコンポジット材を簡単な工程、または必須の工程中で得られる金属ナノコンポジット材の製造方法を提供する。【解決手段】固体の原料金属を加熱し、シート又はペースト状に加工されたＣＮＴ、ＣＮＦをサンドイッチ又はロール状に挟み込み、ＣＮＴ、ＣＮＦの組成変化が起こる手前まで熱と圧力を加え、これを繰り返し原料金属内にＣＮＴ、ＣＮＦを均一な状態で混ぜ込み金属ナノコンポジット材を製造する。【選択図】図１
2010248605.tif 000002
【特許請求の範囲】
カーボンナノチューブ（以下ＣＮＴと記述）複合金属を生産するにあたり安価で製造しやすくする為の方法と製品を意味する。
【請求項１】
金属（ステンレス、アルミ、銅など）にＣＮＴを均一に混ぜた複合金属。
【請求項２】
金属特性（強度、耐久性、電気伝導率など）を向上させるため、ＣＮＴを金属に混ぜ製造する方法。
【請求項３】
ＣＮＴをシートやペースト状にし金属板に均一に乗せ金属板とサンドイッチ状にしたり金属板にペースト状にしたＣＮＴを印刷し、ロール状に巻きＣＮＴの組成を変化させない熱と圧力を加え、熱間プレス又は熱圧延を行なう方法。
【請求項４】
予めＣＮＴを和紙や合成樹脂材に蝋や天然樹脂、糊、化学接着剤などで薄膜シートやペースト状に加工した素材を成形し金属に張り合わせたりプリント印刷したものを縦横に重ねて（サンドイッチ構造）熱ロールで圧延、プレスする方法。
【請求項５】
請求項４をロール状にして、圧延、プレスして製造する方法。
【請求項６】
請求項４、５で出来上がった製品を、よりＣＮＴを金属内で均一化させる為に適温（ＣＮＴの組成破壊をおこさない温度条件）で鍛造、圧延、プレスをＮ層状に繰り返し製品化する方法。
【発明の詳細な説明】
【技術の分野】
【０００１】ＣＮＴ入り金属は既存の炭素素材材料を凌駕した高硬度、高強度、高電気伝導性、高耐磨耗性を示すため、これらの特性を活かした金属ナノコンポジェット材の開発が期待されている。
【０００２】金属ナノコンポジェット材を安価に市場に提供する事がランニングコストの削減に、しいては環境負荷の低減になる技術と考えた。
【発明が解決しようとする課題】
【０００３】ＣＮＴやカーボンナノファイバー（以下ＣＮＦと記述）はその素材の直径が小さければ小さい程１ｇ当りの体積量が増加する上に、少量でも高い諸特性が実現出来る。
しかし、ＣＮＴ、ＣＮＦは非常に小さい組成（１×１０−９）なので紛体では非常に扱いにくい為に、ＣＮＴ、ＣＮＦをシート状やペースト状にしてサンドイッチ状や印刷やスプレーがしやすく実用化しやすくした事。
※図１参照
【課題を解決する為の手段】
【０００４】本発明は金属ナノコンポジェットの製造に当り、いかに信頼性の高いＣＮＴ金属素材を造るかにあり、ＣＮＴシートやＣＮＴペーストがＣＮＴ紛体より扱いやすく、これらを解決すると考えた。
【０００５】ＣＮＴ固有の優れた諸特性を含有比率により発見する為に、何層にするか又縦横（Ｘ，Ｙ）のマトリクス化する為に何枚のシート又は印刷量で決定する事が可能となり管理もしやすくなる。
※図２参照
【発明の効果】
【０００６】上記［０００４］［０００５］を実現する事により、製品のコストが大幅に安くなりより市場化が望める。
【０００７】ＣＮＴ入金属コンポジュット製品が多く市場に出ることで、部品サイズの短小化が出来、その結果部品コストを低減することが可能で、資源の無駄がなくなりＣＯ２削減は元より、全てが省エネ化出来るので環境に優しい。
【図面の簡単な説明】
【０００８】
【図１】ＣＮＴ、ＣＮＦをシート状やペースト状にしてサンドイッチ、ロール状にして圧力（圧延、プレス）を加える状態を示す図。
【図２】圧力を加えた後のＣＮＴ、ＣＮＦが均一に分散している状態を示す図。
【図１】
2010248605.tif 000003
【図２】
2010248605.tif 000004
(57)【要約】      （修正有）【課題】非鉄製錬、基板や電子部品などのリサイクル原料の溶融炉や産業廃棄物の溶融処理炉の煙灰から鉛を回収する方法において、アノード鋳造された鉛の電解精製においてフッ素除去設備を設置する必要なく、平滑な電着鉛を回収することができる鉛の電解方法を提供する。【解決手段】鉛、スルファミン酸からなる電解液中にノイゲンBN-1390及び又はノイゲンBN-2560を１〜７００mg/Lになるように添加することで平滑な電着鉛を回収することを特徴とする鉛の電解方法。【選択図】図１
2010248609.tif 000002
【特許請求の範囲】
【請求項１】
電解液中にノイゲンBN-1390及び又はノイゲンBN-2560を１〜７００mg/Lになるように添加することで平滑な電着鉛を回収することを特徴とする鉛の電解方法。
【請求項２】
請求項1において、電流密度を１００A/m2以下にすることにより平滑な電着鉛を回収することを特徴とする鉛の電解方法。
【発明の詳細な説明】
【技術分野】
【０００１】
本発明は、非鉄製錬、基盤や電子部品などリサイクル原料の溶融炉、及び産業廃棄物を溶融処理する乾式炉より発生する乾式煙灰中に含まれているPbを回収する方法に関する。
【背景技術】
【０００２】
非鉄製錬の乾式煙灰中に含まれているPbを回収するため、煙灰を硫酸浸出し、硫酸鉛にした後、電気炉で溶融還元を行う。溶融還元により分離されたメタルをソーダ処理し、その後、メタルをアノード鋳造した後、珪フッ素酸浴中にて電解精製するBetts法を用いることでPbを回収している。
【０００３】
Betts法において、例えば特開昭５０−１１５１２０  高純度鉛の電解精製方法（特許文献１）に開示されているが、電解浴が珪フッ素酸であることから、排水にフッ素除去設備が必要である。
【特許文献１】特開昭５０−１１５１２０  高純度鉛の電解精製方法
【発明の開示】
【発明が解決しようとする課題】
【０００４】
従来の技術に対して、フッ素除去設備を設置する必要なく、平滑な電着鉛を回収することができる鉛の電解方法を提供することを目的とする。本発明では、スルファミン酸浴で電解精製することで、板状の電着鉛として回収することができる。
【課題を解決するための手段】
【０００５】
本発明者等は、上記の課題を解決するため以下の発明を成した。
（１）電解液中にノイゲンBN-1390及び又はノイゲンBN-2560を１〜７００mg/Lになるように添加することで平滑な電着鉛を回収する鉛の電解方法。
（２）上記（１）において、電流密度を１００A/m２以下にすることにより平滑な電着鉛を回収する鉛の電解方法。
【発明の効果】
【０００６】
本発明によれば、
（１）鉛の電解精製において、適切な添加剤を投入することで、電着面が、平滑な電着鉛が容易に得られる方法を見出した。
【発明を実施するための最良の形態】
【０００７】
以下に本発明をさらに詳細に説明する。
原料は、本発明の鉛含有物は、鉛  70〜99mass％、錫  0.04mass％以下、ビスマス0〜30mass％含有する。
例えば、上記鉛含有物を、アノード鋳造をし、そのアノードを用いて電解精製を行う。アノードのサイズとしては、カソードのサイズに比べ小さくすることで、エッジ効果を防ぐことができ、平滑で良好な電着鉛を回収することができる。
更に、スルファミン酸を２０から１００ｇ/Ｌ添加するとより平滑な電着鉛を得ることが出来る。
【０００８】
また平滑剤としては、ノイゲンBN-1390及び又はノイゲンBN-2560を1〜700mg/Lで電流密度100A/m2以下、好ましくは、50から100A/m2にすることで、平滑で良好な電着鉛を図１に示すように回収することができる。
【実施例】
【０００９】
（実施例１）  平滑な電着鉛を回収する方法
電解液の組成として、鉛濃度：80g/L、スルファミン酸濃度：20g/Lに調整した溶液に平滑剤としてノイゲンBN-1390を10mg/Lを添加する。
高Bi品位の鉛アノードと鉛の種板または、ステンレス板をカソードとして、交互に電槽に装入する。
カソードの大きさは、アノードに対して、20〜30mm程度大きくした方が、エッジ部への電流集中を緩和することができ、最適である。
電極装入後、電槽内に電解液を補充し、電解液の電槽内滞留時間が1時間程度になるように給液することで、電槽内の濃度分布を均等にする。
電解液の液温を、20〜30℃に調整後、電流密度100A/m2で通電することで、平滑な電着鉛を回収することができる。
【００１０】
（実施例２）  平滑な電着鉛を回収する方法
電解液の組成として、鉛濃度：80g/L、スルファミン酸濃度：20g/Lに調整した溶液に平滑剤としてノイゲンBN-1390を400〜700mg/Lを添加する。
高Bi品位の鉛アノードと鉛の種板または、ステンレス板をカソードとして、交互に電槽に装入する。
カソードの大きさは、アノードに対して、20〜30mm程度大きくした方が、エッジ部への電流集中を緩和することができ、最適である。
電極装入後、電槽内に電解液を補充し、電解液の電槽内滞留時間が1時間程度になるように給液することで、電槽内の濃度分布を均等にする。
電解液の液温を、20〜30℃に調整後、電流密度100A/m2で通電することで、平滑な電着鉛を回収することができる。
【図面の簡単な説明】
【００１１】
【図１】本発明における一態様である添加剤と電着状態の関係
【図２】本発明における実施例２における電着状態
【図１】
2010248609.tif 000003
【図２】
2010248609.tif 000004
(57)【要約】      （修正有）【課題】作業中における暑さをしのげる作業帽子を提供する。【解決手段】作業帽子１にポケット２と該ポケット２の開口部に止着部３を設け、開口部から冷却材料を設置することにより首すじがひんやりし長時間作業帽子１を使える。【選択図】図１
2010248675.tif 000002
【特許請求の範囲】
【発明の詳細な説明】
【技術分野】
【０００１】作業帽子の首の部分の裏側にポケットを付けその中にアイスノンを入れます
【背景技術】
【０００２】従来帽子にはポケットは付いていない
【発明の開示】
【発明が解決しようとする課題】
【０００３】  次のような不便があった。
作業帽子を使用する事が多くて首にタオルをしめらせ暑さを防いでいましたが夏などすぐ乾いていました。
【課題を解決するための手段】
【０００４】帽子にポケットを設ける（１）の上部分にマジックテープを設け（２）の中にアイスノンを入れる
【発明の効果】
【０００５】作業帽子とポケットが一体となり従来のようにタオルも使用しなくてアイスノンを使用して長時間冷えてとても快適に仕事が出来ます。
【図１】
2010248675.tif 000003
【図２】
2010248675.tif 000004
【手続補正書】
【提出日】平成21年7月21日(2009.7.21)
【手続補正１】
【補正対象書類名】特許請求の範囲
【補正対象項目名】全文
【補正方法】変更
【補正の内容】
【特許請求の範囲】
【請求項１】
一年中外で作業する農作業は、夏の暑さや冬の寒さが厳しい季節は、それぞれに体力を消耗したり、体調を崩したりしてしまうこともあります。
そこで作業している時に常にかぶっている帽子の後ろ（首の付け根部分）にポケットをつけ、その中にアイスノンやホッカイロを入れることで快適に体温調節ができるアイディアを発案しました。
これにより農作業が苦にならないで楽しく出来て、はかどると思います。又健康面でのジョギングやウォーキング又、スポーツ山登りなどのレジャにも最適だと思います。
外で過ごすのが難しい季節でも、このエコ帽子を是非多くの方に利用していたたき、自然の中で快適なエコライフを過していただきたいです。
【手続補正２】
【補正対象書類名】明細書
【補正対象項目名】全文
【補正方法】変更
【補正の内容】
【発明の詳細な説明】
【技術分野】
【０００１】作業帽子の首の部分の裏側にポケットを付けその中にアイスノンを入れます。
【背景技術】
【０００２】従来帽子にはポケットは付いていない。
発明の開示
【発明が解決しようとする課題】
【０００３】次のような不便があった。
作業帽子を使用する事が多くて首にタオルをしめらせ暑さを防いでいましたが夏などすぐ乾いていました。
【課題を解決するための手段】
【０００４】帽子にポケットを設ける（１）の上部分にマジックテープを設け（２）の中にアイスノンを入れる。
【発明の効果】
【０００５】作業帽子とポケットが一体となり従来のようにタオルも使用しなくてアイスノンを使用して長時間冷えてとても快適に仕事が出来ます。
【図面の簡単な説明】
【０００６】
【図１】帽子を正面に倒したものを表す図
【図２】帽子を側面に倒したものを表す図
(57)【要約】【課題】シャツの衿元を、ボタンを外した時等極端に開けないようにした装置の提供である。【解決手段】シャツ衿元のボタン▲１▼ボタンホール側の脇に挿入物▲３▼を挿入する区切り▲２▼をミシンで設け、▲３▼の取り外し用、飛び出し防止▲４▼のフタを施置した装置を特徴とする。挿入物の素材はアルミ等が理想と思われる。【選択図】図２
2010248674.tif 000002
【特許請求の範囲】
【請求項１】
シャツ等、上着の胸部衿元に、取り外しが出来る、可変、固定、復元の性質を有する素材の物を設置し、衿元を自由な型状に保つ事が出来るようにした衿元の装置。
【発明の詳細な説明】
【技術分野】
【０００１】この発明はシャツ等の衿元をピンとさせるために、取り外しが出来、型状が可変性の性質のある棒状や板状のものを設置出来る装置を有するシャツ等の衿元の装置に関するものである。
【背景技術】
【０００２】従来シャツや上着の衿元は型状を維持させるため、生地を重ねて縫い込む、とか洗濯ノリを強くして維持させるようであった。
【発明の開示】
【発明が解決しようとする課題】
【０００３】これは、次のような欠点があった。
クリーニングして着た当初はピンとなってるが時を過ると、型がくずれる、そのため署いとき等特にネクタイを外した時等は開けてシックリ見えない事がある。
本発明は、以上のような欠点をなくすためになされたものである。
【課題を解決するための手段】
【０００４】  シャツ等、上着の開衿の両側、つまりボタン▲１▼とボタンホール側の各々の側近に▲２▼の縫い込みを施し▲３▼の板状の物を挿入するスペースを設ける、▲４▼はその挿入物の飛び出しを防ぐフタである。
本発明は以上のような構成よりなる、シャツ等の衿元の装置である。
【発明の効果】
【０００５】暑い時等、ノーネクタイでも極端に衿元が開けることなく、可変性、復元性のある材質の細い板なので自由な形態を保つ事が出来るので女性のブラウス、上着でも便利と思う、洗濯の時は板状物体を抜き出してすればよい。
【発明を実施するための最良の形態】
【０００６】以下、本発明を実施するための最良の形態について、従来の物でもボタン・ボタンホールの側近は細い板状のものなら挿入出来るスペースがある、であるから従来の型状を変える事なく▲２▼のスペースを施すことが出来る、▲３▼の板はアルミのように材質が、可変、復元、固定、の面からもっとも良いように思われる。▲４▼は洗濯時の取り出し、挿入用のフタを設ける
この発明の利点は素材の性質を利用して自分の好きな形態に開衿をセット出来るため女性の上着にも利用出来る事である。
自由な形態で既製の物にプラスして楽しむ事が出来る。
【図面の簡単な説明】
【０００７】
【図１】本発明のシャツ正面図である
【図２】本発明の衿元正面拡大図である
【符号の説明】
【０００８】１    ボタン
２．  縫い込み目
３．  挿入板
４    飛び出し防止フタ
【図１】
2010248674.tif 000003
【図２】
2010248674.tif 000004
(57)【要約】  【課題】  引き寄せ金物と同様に引き寄せられ、柱を基礎コンクリートに固定できる装置を提供する。  【解決手段】  基礎コンクリートＢに該基礎コンクリートＢ上に設けた柱脚金物１を介して柱Ｐを固定するようにしたものであって、前記柱Ｐにその下面から挿入して組付け杆９を取付ける。そして、組付け杆９の下端に設けた螺子棒部９Ｂを、前記柱脚金物１の、前記柱Ｐの受支板７に設けた透孔１４に貫通させ、該透孔１４より突出する前記螺子棒部９Ｂの先端に締付けナット１５Ａを螺合する。【選択図】    図１
2010248905.tif 000002
【特許請求の範囲】
【請求項１】
基礎コンクリートに該基礎コンクリート上に設けた柱脚金物を介して柱を固定するようにした柱の固定装置において、前記柱にその下面から挿入して組付け杆を取付け、該組付け杆の下端に設けた螺子棒部を、前記柱脚金物の、前記柱の受支板に設けた透孔に貫通させ、該透孔より突出する前記螺子棒部の先端に締付けナットを螺合した、木造建物における柱の固定装置。
【請求項２】
組付け杆と受支板との間に螺子棒部を取り囲む隙間が生じるように、前記組付け杆を柱に取付けた、請求項１記載の木造建物における柱の固定装置。
【発明の詳細な説明】
【技術分野】
【０００１】
本発明は、概し、管柱や通し柱を、柱脚金物を用いて基礎コンクリートに固定するために適用する木造建物における柱の固定装置に関するものである。
【背景技術】
【０００２】
基礎コンクリート上に配した柱脚金物を介して柱を前記基礎コンクリートに固定することは、柱の基礎コンクリートに対する固定手段として一般に行われているところであるが、当該柱脚金物は、例えば、Ｚマーク表示金物の一つとして挙げられているもののように、受支板上に載置した柱の下部の相対する両側に、前記受支板に相対して立設した組付け板を配し、該組付け板と前記柱下部をこれらに貫通させたボルト先端にナットを螺合締付けるようにして用いるようになっている。
【発明の概要】
【発明が解決しようとする課題】
【０００３】
前記の従来例は、基礎コンクリートに固定した柱脚金物に柱を載置してボルトおよびナットによっていわば接続するだけであるから、柱と柱脚金物（基礎コンクリート）との接合強度は必ずしも万全とはいえず、このため、引き寄せ金物（ホールダウン金物）を別途用いて柱を基礎コンクリートに緊締させ、前記接合強度を確保しなければならないことがあり、従って、柱の固定装置としていわば二重の取付け作業を要する場合がある。本発明は、引き寄せ金物を用いたと同様に引き寄せ機能を備えた柱の固定装置を提供することを目的として創案したものである。
【課題を解決するための手段】
【０００４】
基礎コンクリートに該基礎コンクリート上に設けた柱脚金物を介して柱を固定するようにした柱の固定装置において、前記柱にその下面から挿入して組付け杆を取付け、該組付け杆の下端に設けた螺子棒部を、前記柱脚金物の、前記柱の受支板に設けた透孔に貫通させ、該透孔より突出する前記螺子棒部の先端に締付けナットを螺合したことを基本的手段とする。
【発明の効果】
【０００５】
本発明は前記の通りの構成であるから、柱脚金物を介して柱を基礎コンクリートに固定するに良好な、作業性の優れた装置を提供することができる。
【０００６】
また、ナットを締付けることにより柱を固定するものであるから、柱を基礎コンクリート側に引き寄せられ、該引き寄せ状態を得るために一般に用いられている引き寄せ金物（ホールダウン金物）を必要としなくて済むことから実用的な装置を提供できる。
【図面の簡単な説明】
【０００７】
【図１】縦断面図。
【実施例】
【０００８】
図面は本発明に係る柱の固定装置の実施例を示し、図１は縦断面図である。
【０００９】
図中、Ｂは基礎コンクリートで、基礎コンクリートＢにはアンカー部を埋入して固装したアンカーボルトｂの螺杆部ｂ´を突設し、該螺杆部ｂ´を柱脚金物１の基板２に形成した透孔３に相対的に貫通させるようにして前記柱脚金物１を前記基礎コンクリートＢ上に載置し、該柱脚金物１は、基板２より突出する前記螺杆部ｂ´先端に固定ナット４をワッシャー５を介して螺合締付けることにより基礎コンクリートＢに固定してある。
【００１０】
柱脚金物１は、前記透孔３を中央に設けた方形状の前記基板２に横断面円弧状にした一対の支持板６，６を、円弧縁が対向方向に膨出するようにして相対して立設し、該支持板６，６上に受支板７を載置固定して構成したものである。
【００１１】
なお、支持板６を横断面円弧状すなわち屈曲形状にしたのは、受支板７を介する荷重の負荷に対処するためである。
【００１２】
実施例は、柱Ｐの下面中央を開口して設けた縦穴８に組付け杆９を嵌挿し、該組付け杆９の側面に設けた透孔１０と前記柱Ｐに形成した貫通孔１１を互いに一致させ、これらにドリフトピン１２を嵌挿して前記組付け杆９を柱Ｐに固着し、該組付け杆９を利用して受支板７上に載置した柱Ｐを受支板７すなわち柱脚金物１に固定し、柱脚金物１を介して柱Ｐを前記基礎コンクリートＢに固定するようにしたものである。
【００１３】
なお、組付け杆９の柱Ｐに対する固定は、ドリフトピン１２を用いているが、該ドリフトピン１２に代えてボルトとこれに螺合するナットを用いても良く（いずれにしても、これら固定杆と前記透孔１０や貫通孔１１と組合わせることにより組付杆９の柱Ｐに対する取付け乃至固定作業を円滑に行え、かつ、柱Ｐとの相対的な回転を防ぐことができる）、組付け杆９は円筒体で構成しても良く、角筒体でも良く、また、中実体で構成しても、差し支えはない。
【００１４】
そして、先端（下端）に螺子棒部９Ｂを連設した組付け杆９を受支板７に設けた透孔１４に貫通させ、透孔１４より突出する螺子棒部９Ｂにワッシャー１６´を介してナット１５Ａを螺合締付けることにより組付け杆９を柱脚金物１（受支板７）側に引き寄せ、組付け杆９はドリフトピン１２を介して柱Ｐに組付けた状態にあるから、組付け杆９が引き寄せられると同時に、柱Ｐも柱脚金物１側に引き寄せられ、柱Ｐは柱脚金物１に緊結される。そして、組付け杆９と受支板７との間に隙間１８´´が生じるように組付け杆９は柱Ｐに固定されているため、組付け杆（金属製）９の規制を受けることなく、柱Ｐの下面はその木質により平滑に変形して受支板７に圧接して、尚一層強固な引き寄せ固定状態を得られるのである。この隙間１８´´の上下幅は、ドリフトピン１２による組付け杆９の柱Ｐに対する取付け（位置）関係によって決められる。
【００１５】
もとより、ナット１５Ａを締付けることにより、柱Ｐが柱脚金物１に引き寄せられることはいうまでもない。
【００１６】
なお、螺子棒部９Ｂに非円形の鍔片を設け、この鍔片を受支板６に非円形の孔を設けて嵌合すれば、柱に負荷される回転方向の外力に対処できる。
【符号の説明】
【００１７】
Ｂ      基礎コンクリート
Ｐ      柱
１      柱脚金物
７      受支板
９      組付け杆
９Ｂ    螺子棒部
１５Ａ  ナット
【図１】
2010248905.tif 000003
(57)【要約】【課題】公害の元となる物を出さない、CO2を発生させない、また、自然を破壊することもない自然のものを利用した発電の方法を見いだすことが課題です。【解決手段】この発明は電車や自動車など動ける物が動くときに起こす風圧を羽根に受け、羽根が回転することにより、回転軸を同じくする発電装置により発電することにより課題を解決した。従来のダムによる水の落差を利用した発電は自然に優しくないとも言われています。原子力発電は放射能の問題がある。また、火力発電のようにCO2などの公害を出すこともない。風力発電や太陽光発電のようにムラの多い発電方法ではなく、動く物は多いので発電がいつも行え、CO2などの公害を出さないし、自然破壊もしないことを特徴とする発電手段です。【選択図】なし【特許請求の範囲】
【請求項１】
電車や汽車など動く物に取り付け、それが動くときに受ける風圧を羽根に受け、羽根が回転する事により発電する方法。
【請求項２】
動く物が起こす風を羽根に受け、羽根が回転することにより電気を起こさせる方法
【発明の詳細な説明】
【技術分野】
【０００１】
本発明は、汽車、電車、自動車など動く物が前へ進むことによって受ける空気の圧力によって回転する羽根を発電装置に連結させて発電する方法の発明である
また、物が動くとき起こす風で羽根を回転させ発電する方法である。
【先行技術文献】
【特許文献】
【０００２】
なし
【非特許文献】
【０００３】
なし
【発明の概要】
【発明が解決しようとする課題】
【０００４】
解決しようとする課題は、風力発電のようにただ風が来るのを待って発電するような風待ち発電ではなく、進んで風を受け発電することを見いだすのが課題である。いつ吹くか分からない風を待って発電するのは非効率的である。また、現在ある風力発電は高価であり、設置場所を選び、送電も遠くなる。発電する物の近くで安価に発電出来ればとても効率的である。そのようなことを考えることも課題である。
【課題を解決するための手段】
【０００５】
本発明は、動く物が進むとき必ず受ける風圧を積極的に利用し、また、動く物が起こす風圧を利用して羽根を回転させ、回転軸を同じくする発電装置で発電することで課題を解決した。風は羽根を回した後、後方に抜けるので大きく抵抗を受けることはない。
【発明の効果】
【０００６】
本発明は、扇風機が電気ではねを動かすのと逆に、発電装置を取り付けた羽根が回転することにより電気が出来ることを利用したものである。動く物や動く物が通るところの近くに装置を設置するので、羽根が動くときには時間的なムラもなく電気を発生させる事が出来る。また、そのとき公害の元となるものを出すことがないしCO2を出すこともない。いま、空気の中を動いている物は多い。その一つ電車を例に取ってみると、電車の屋根の上などに取り付け発電させる。回転軸に羽根は一段だけではなく、必要に応じて複数段付けると効果は大きい。また、羽根の風を受ける方向はそれが適当な方向へ向けると良い。
【産業上の利用可能性】
【０００７】
電気は私たちが生活する上で無くてはならないものです。しかし、現在ある電気を作る方法は多くの問題をかかえている。それは、公害発生とかいつも発電が出来ないムラがあるものです。本発明のように自然の力で公害を出さず、いつも発電出来れば産業上の効果は大きい。多くの原料や材料を必要としない、つまりランニングコストも安く、産業上とても有効利用が可能である。本品は小型に出来るので雪国では家のそばに置き、そばを通る動く物が起こす風を受けて発電し、屋根の雪を溶かすことにも使える。つまり、雪下ろしなどの手間が省ける。道路のそばでは自動車による風圧で発電し街灯にも使うことが出来るし、橋や道路の氷結防止にもなる。電車や汽車などでは、それに取り付けた発電装置による電気で空調や室内灯にも使用出来節電効果がある。
(57)【要約】【課題】紫外線ランプでオゾンを生成するときに生成される人体に有害な紫外線２５３．７ｎｍの漏れを防止し、人がいるところでも使用できるオゾン発生装置を提供する。【解決手段】従来の小型オゾン発生装置の噴出口から噴出されるオゾンと共に漏れていた人体に有害な紫外線２５３．７ｎｍを、噴出口の内側にフィルターを設置することで漏れを防止し人体への害をなくし、人がいるいないに関わらず、場所を選ばないで使用できる紫外線照射拡散防止小型オゾン発生装置を開発した。 【選択図】図１
2010248004.tif 000002
【特許請求の範囲】
【請求項１】
紫外線ランプによりオゾンガスと有害な紫外線２５３．７ｎｍを生成する装置の内部に有害な紫外線のみをフィルターにて外部に照射しない様にしたオゾン発生装置
【発明の詳細な説明】
【技術分野】
【０００１】
本発明は、紫外線ランプによりオゾンガスと有害な紫外線２５３．７ｎｍを生成する装置において、有害な紫外線を外部に照射しないようにする装置に関するものである。
【背景技術】
【０００２】
オゾン発生装置はコロナ放電方式と紫外線照射によるオゾン発生の方法があるが、コロナ放電方式は有害な窒素酸化物とオゾンを発生し、、日常的に使用するには発がん性等健康上問題がある。
【０００３】
紫外線照射での小型オゾン発生装置は波長２５３．７ｎｍのオゾンを生成する波長と皮膚がんになる波長を出しており、オゾンを取り出すとき吹き出し口から有害な紫外線２５３．７ｎｍが人体等に照射され障害を引き起こす危険性がある。
【特許文献１】特許公開２００６−９６６００広報
【発明の開示】
【発明が解決しようとする課題】
【０００４】
本発明は小型オゾン発生装置からオゾンのみを吹き出し口から放出し、有害な紫外線２５３．７ｎｍが外部に漏れないようにする装置の提供である。
【課題を解決するための手段】
【０００５】
本発明は、内部にオゾンを発生させる紫外線ランプ数本が収納され吸引口と吹き出し口が有る小型オゾン発生装置の吹き出し口の内側にフィルターを設置することにより有害な紫外線２５３．７ｎｍを外部に漏らさないことを主要な特徴とする。
【発明の効果】
【０００６】
本発明の紫外線照射拡散防止小型オゾン発生装置は吹き出し口の内側にフィルターを設置することで有害な紫外線２５３．７ｎｍの漏れを防止し、オゾンのみを吹き出し口より放出することで人体の安全を確保できる効果がある。
【発明を実施するための最良の形態】
【０００７】
内箱に収納された紫外線ランプから出る有害な紫外線２５３．７ｎｍを内箱の噴出口の内側にフィルターを設置するだけで、外部への漏れを防止するという目的を実現した。
【実施例１】
【０００８】
図１は本発明の実施の形態における紫外線照射拡散防止小型オゾン発生装置内部の正面図である。紫外線ランプ６から発生したオゾンを送風機１で、設置したフィルター4を介して有害な紫外線２５３．７ｎｍの漏れを防止し、噴出口３からオゾンだけを吹き出す。
【図面の簡単な説明】
【０００９】
【図１】図１はフィルター設置の実施方法を示した説明図である。（実施例１）
【符号の説明】
【００１０】
１    送風機
２    吸引口
３    噴出口
４    フィルター
５    内箱
６    紫外線ランプ
【図１】
2010248004.tif 000003
(57)【要約】      （修正有）【課題】非破壊検査、超音波探傷検査の作業性向上。【解決手段】超音波探触子にスライド式小型ペン支持材をつけ、支持材の中にペン６とペンカバー４をセットし挿入する。スライド式小型ペン支持材にはスリットを設ける。又、ペンカバー４にもスリットを設ける。探触子の取り外しが容易なカバーケースにも、スライド式小型ペン支持材を付ける構造にする。【選択図】図２
2010160126.tif 000002
【特許請求の範囲】
【請求項１】
超音波探触子に小型ペンを付けペン先が指先で出せるペン付超音波探触子
【請求項２】
超音波探触子カバーケースを作りカバーケースに小型ペンを付けぺん先が指先で出せるペン付超音波探触子
【発明の詳細な説明】
【考案の詳細な説明】
【産業上利用分野】
【０００１】非破壊検査の超音波探傷
【背景技術】
【０００２】超音波探傷で探触子を動かし探傷中指示模様が出たとき片手にペン片手に探触子を持ち両手で指示模様検出位置に記しを書いていた。
【本考案が解決しようとする課題】
【０００３】超音波探傷中片手で指示模様位置を書けるようにする。
【問題点を解決するための手段】
【０００４】探触子本体に小型のペンを取り付ける。
【作用】
【０００５】超音波探傷中指示模様が検出したとき指先でペンを出し探触子の移動と共に線を書くことができる。
又探触子カバーケースは取り外しが容易である。
【実施例】
【０００６】請求工１探触子本体にスライド式小型ペンを取り付ける。
請求工２探触子カバーケースを作りそれにスライド式小型ペンを取り付ける。
【考案の効果】
【０００７】指示模様範囲が簡単に書ける。
【図面の簡単な説明】
【０００８】
【図１】探触子本体にスライド式小型ペンを取り付けた図。
【図２】実装図
【図３】ペンカバー図
【図４】探触子カバー図
【符号の説明】１  探触子
２  スライド式小型ペン支持材
３  スリット
４  ペンカバー
５  スリット
６  ペン
７  探触子カバーケース
【図１】
2010160126.tif 000003
【図２】
2010160126.tif 000004
【図３】
2010160126.tif 000005
【図４】
2010160126.tif 000006
(57)【要約】      （修正有）【課題】携帯型極間式の蛍光磁粉探傷器に関し、携帯型極間式探傷器とブラックライトを一体化して簡素化し、作業性を向上させる。【解決手段】携帯型極間式探傷器１に二次コイル６をはめ込み、そして、二次コイル外面に紫外線ＬＥＤ４を取り付け発光させる。さらに、携帯型極間式探傷器１の内側に紫外線ＬＥＤを取り付けて、電源と連動して紫外線ＬＥＤを光らせる。【選択図】図１
2010160125.tif 000002
【特許請求の範囲】
【請求項１】
携帯型極間式探傷器本体内側に紫外線ＬＥＤを取り付け発光する、紫外線ＬＥＤ（ブラックライト）付携帯型極間式磁粉探傷器。
【請求項２】
携帯型極間式探傷器に二次コイルを取り付け二次コイル外面に紫外線ＬＥＤを取り付た、紫外線ＬＥＤ（ブラックライト）付携帯型極間式磁粉探傷器。
【発明の詳細な説明】
【考案の詳細な説明】
【産業上利用分野】
【０００１】非破壊検査の極間法蛍光磁粉探傷装置
【背景技術】
【０００２】携帯型極間式探傷器とブラックライトは別別の装置で一セットで検査を行っていた。
【本考案が解決しようとする課題】
【０００３】携帯型極間式探傷器とブラックライトを一体化して簡素化するのが課題。
【問題点を解決するための手段】
【０００４】携帯型極間式探傷器の内側に紫外線ＬＥＤを取り付けて電源と連動して紫外線ＬＥＤを光らせる。
【作用】
【０００５】携帯型極間式探傷器単体で蛍光磁粉探傷検査ができる。
【実施例】
【０００６】請求工１  携帯型極間式探傷器の内側の面に紫外線ＬＥＤを取り付けて定電流素子を通しＬＥＤを光らせる。
請求工２  携帯型極間式探傷器自身トランスと同じ構造のため二次コイルをヨークにはめ込みそこからの電気でＬＥＤを光らせる。
【考案の効果】
【０００７】一体化されたことにより狭い所でも簡単に作業ができる。
【図面の簡単な説明】
【０００８】
【図１】携帯型極間式探傷器に紫外線ＬＥＤの取り付け図。
【図２】二次コイルと紫外線ＬＥＤ図
【図３】二次コイルと紫外線ＬＥＤ装置の実装図
【符号の説明】１  携帯型極間式探傷器
２  スイッチ
３  電源コード
４  紫外線ＬＥＤ
５  定電流素子
６  二次コイル
７  配線基板
【図１】
2010160125.tif 000003
【図２】
2010160125.tif 000004
【図３】
2010160125.tif 000005
(57)【要約】【課題】電子ペーパー複数枚で構成された、（従来の本の形状をした）電子ブックが無かった。電子ペーパー複数枚で構成された、（従来の本の形状をした）電子ブックを実現する手段・方法を提供する。【解決手段】電子ペーパー複数枚、ＣＰＵ（Ｃｅｎｔｒａｌ  Ｐｒｏｃｅｓｓｉｎｇ  Ｕｎｉｔ）、記憶部、制御部、入出力制御部等で構成された、（従来の本の形状をした）電子ブックを実現する手段を提供する。【特許請求の範囲】
【請求項１】
電子ペーパー複数枚、ＣＰＵ（Ｃｅｎｔｒａｌ  Ｐｒｏｃｅｓｓｉｎｇ  Ｕｎｉｔ）、記憶部、制御部、入出力制御部等で構成された、（従来の本の形状をした）電子ブック（本・手帳・カレンダー・新聞・雑誌等）。
【発明の詳細な説明】
【技術分野】
【０００１】本発明は、本・手帳・カレンダー・新聞・雑誌等に関し、電子ペーパー複数枚で構成されるものによって実現される、（従来の本の形状をした）電子ブックおよびその表示方法に関する。
【背景技術】
【０００２】小型・軽量・軽薄化された電子ペーパーが発明され、実用化された。
【発明の開示】
【発明が解決しようとする課題】
【０００３】電子ペーパー複数枚で構成された、（従来の本の形状をした）電子ブック（本・手帳・カレンダー・新聞・雑誌等）が無かった。
本・手帳・カレンダー・新聞・雑誌等は、大量の膨大な紙資源を消費し、もったいなかった。
又、地球温暖化・地球環境の面でも問題であった。【０００４】本発明はこうした課題に鑑みてなされたものであり、その目的は、電子ペーパー複数枚、ＣＰＵ（Ｃｅｎｔｒａｌ  Ｐｒｏｃｅｓｓｉｎｇ  Ｕｎｉｔ）、記憶部、制御部、入出力制御部等で構成された、（従来の本の形状をした）電子ブックを実現することである。
【課題を解決するための手段】
【０００５】上記課題を解決するために、本発明は、電子ペーパー複数枚、ＣＰＵ（Ｃｅｎｔｒａｌ  Ｐｒｏｃｅｓｓｉｎｇ  Ｕｎｉｔ）、記憶部、制御部、入出力制御部等で構成される、（従来の本の形状をした）電子ブックを実現する手段を提供するものである。【０００６】従来の本・手帳・カレンダー・新聞・雑誌等は、大量の膨大な紙資源を消費していた。
しかし、有限な紙資源、地球温暖化及び地球環境の面で問題であった。
本発明は、電子ペーパー複数枚、ＣＰＵ（Ｃｅｎｔｒａｌ  Ｐｒｏｃｅｓｓｉｎｇ  Ｕｎｉｔ）、記憶部、制御部、入出力制御部等で構成される、（従来の本の形状をした）電子ブックを実現する手段を提供するものである。
小型・軽量・軽薄化された電子ペーパー複数枚を、従来の紙と同じように綴じて、従来の本と同じような構造として製本し、ＣＰＵ（Ｃｅｎｔｒａｌ  Ｐｒｏｃｅｓｓｉｎｇ  Ｕｎｉｔ）、記憶部、制御部、入出力制御部等の部品及び機能を具備した本とした電子ブックを実現する。
ＣＰＵ（Ｃｅｎｔｒａｌ  Ｐｒｏｃｅｓｓｉｎｇ  Ｕｎｉｔ）、記憶部、制御部、入出力制御部等も、（従来の本の形状をした）電子ブックに組み込む。
もしくは、ＣＰＵ（Ｃｅｎｔｒａｌ  Ｐｒｏｃｅｓｓｉｎｇ  Ｕｎｉｔ）、記憶部、制御部、入出力制御部等も、電子ペーパーのように薄くしたものも考えられる。
（従来の本の形状をした）電子ブックの中身のデータ（本の内容・コンテンツ）は、インターネット、パソコン、携帯電話、情報端末等から、ダウンロードもしくは通信等の手段により取り込む。
この（従来の本の形状をした）電子ブックは、メモリー性のある電子ペーパーを使用しているため、電源無しで半永久的にデータ（本の内容・コンテンツ）を表示という、電力レス表示が可能である。（電子ペーパーの特長）
一定期間データ（本の内容・コンテンツ）を表示し、（従来の本の形状をした）電子ブックを読み終わったら、新しいデータ（本の内容・コンテンツ）を取り込むことにより、同一の（従来の本の形状をした）電子ブックに別の新しい本として、新しいデータ（本の内容・コンテンツ）を表示し読むことが可能である。
このようにして、（従来の本の形状をした）電子ブック１冊に、何回でもデータ（本の内容・コンテンツ）を表示し読むことが可能である。
従来の本の数量に限らず、従来の本の多数の数量を何回でも（従来の本の形状をした）電子ブック１冊で読むことが可能となる。
又、（従来の本の形状をした）電子ブックの表示は、電子ブックの一頁の物理的な大きさ以内のものであれば表示可能である。
例えば、Ａ４サイズの電子ブックに、Ａ５サイズのデータ（本の内容・コンテンツ）を表示してみてもいいわけである。
又、電子的に拡大・縮小して表示することも可能である。
従来の多数の数量の本の内容・コンテンツを、電子ブック１冊で読むことができるようになる。
このことにより、膨大な紙資源の消費、地球温暖化及び地球環境の問題の解決の一助とすることができる。
(57)【要約】      （修正有）【課題】映像表示板の映像をレンズ側より直接、間接に確認しながら背面鏡及び側面鏡の角度を調節することが出来る。【解決手段】映像表示板の背面に背面鏡、側面に側面鏡を、下面に位置固定軸をそれぞれ設け、単数又は複数の回転軸により回転自在に取り付け、中心孔を中心に固定孔を設け、表側に撮影機取り付け具裏側に三脚取り付け具を設けた撮影機取り付け台中心孔に取り付け軸を取り付ける事により、複数の回転軸により、鏡の角度を自由に調節して側面鏡を通して映像を確認する。【選択図】図１１
2010160458.tif 000002
【特許請求の範囲】
【請求項１】
映像表示板（１７）の背面に背面鏡（４）側面に側面鏡（５）下面に位置固定軸（９）をそれぞれ設け、単数又は複数の回転軸（３）により回転自在に取り付け、中心孔（１０）を中心に固定孔（１１）を設け、表側に撮影機取り付け具（２）裏側に三脚取り付け具（７）を設けた撮影機取り付け台（１）中心孔（１０）にに取り付け軸（８）を取り付ける事によりなる映像確認用鏡の角度調節装置。
【請求項２】
映像表示板（１７）の背面に背面鏡（４）側面に側面鏡（５）下面に磁石（１２）をそれぞれ設け、更に単数又は複数の回転軸（３）により回転自在にに取り付け、複数個の中心孔（１０）を持った鉄板（１３）及び撮影機取り付け具（２）を表側に、裏側に三脚取り付け具（７）を設けた撮影機取り付け台（１）中心孔（１０）に取り付け軸（８）を取り付ける事によりなる映像確認用鏡の角度調節装置。
【請求項３】
映像表示板（１７）の背面に背面鏡（４）側面に側面鏡（５）下面に取り付け孔（１４）を中心に位置固定軸（９）をそれぞれ設け、更に単数又は複数の回転軸（３）により回転自在に取り付け、更に中心軸（１５）を中心に複数個の固定孔（１１）を設けた固定盤（１６）、撮影機取り付け具（２）を表側に、裏側に三脚取り付け具（７）を設けた撮影機取り付け台（１）の中心軸（１５）に取り付け孔（１４）を取り付けることによりなる映像確認用鏡の角度調節装置。
【発明の詳細な説明】
【技術分野】
【０００１】本発明は、デジタルカメラ及び携帯電話等の撮影時に映像確認の為の映像確認用鏡の角度調節装置に関するものである．
【背景技術】
【０００２】従来自動撮影を行うときにレンズの背面より想像で行っていた。
【発明の開示】
【発明が解決しようとする課題】
【０００３】そのために次のような問題点があった．
（イ）映像表示面がレンズ側より見えなかった．
（ロ）撮影機が邪魔であった．
本発明は、これらの問題点を解決する為になされたのでる．
【課題を解決する手段】
【０００４】上記の問題点を解決する為裏側には三脚に取付ける取付け台取付け具を、上面には撮影機取り付け具を設けた撮影機取付けた撮影機取り付け台に対してそれぞれ角度が異なる鏡を背面及び側面に取り付け、自由に角度を調節して側面鏡を通して映像を確認する。
【発明の効果】
【０００５】その結果、次の効果が生じる．
（イ）映像表示板をレンズ側より直接又は双眼鏡により遠方より見る事が出来る．
（ロ）レンズ側よりレンズの角度を調節出来る。
（ハ）映像を見ながら撮影が出来る。
（ニ）鏡の角度を自由に調節出来る。
【発明を実施する為の最良の形態】
【０００６】以下本発明の実施形態について説明する．
（イ）裏側には三脚に取付ける三脚取付け具（７）上面には撮影機取付け具（２）表側には単数又は複数の中心孔（１０）を設けこの中心孔（１０）を中心に固定孔（１１）又は鉄板（１３）、固定盤（１６）を設ける。
（ロ）回転軸（３）を中心に蝶番（６）により背面鏡（４）側面鏡（５）を取り付け、下面には固定孔（１１）に入る径の位置固定軸（９）を取り付けか又は下面に磁石（１２）を取り付け、鉄板（１３）に着磁して鏡の角度を調節するがこの方法によれば中心孔（１０）を複数個設ける事ができる。
又中心軸（１５）を中心に固定孔（１１）を設けた固定盤（１６）を撮影機取り付け台（１）に固定し、１方回転軸（３）の下面に取り付け孔（１４）を又鏡の下面に位置固定軸（９）を固定孔（１１）に対応する位置に単数又は複数設ける。
本発明は以上のような構成で、これを使用する時は撮影機取付具（２）に撮影機（１８）を、又三脚取付け具（７）に三脚（１９）を取り付け、単数又は複数の中心孔（１０）に取り付け軸（８）を差込、蝶番（６）を開閉して位置固定軸（９）を固定孔（１１）に差込最適の位置に背面鏡（４）、側面鏡（５）の位置を定める。
このような方法により映像表示板（１７）を背面鏡（４）及び側面鏡（５）を通して直接又は遠方の場合いは双眼鏡により確認出来る。
【図面の簡単な説明】
【０００７】
【図１】本発明の斜視図である．
【図２】本発明の斜視図である．
【図３】本発明の斜視図である．
【図４】本発明の斜視図である．
【図５】本発明の斜視図である．
【図６】本発明の使用状態を示す斜視図である．
【図７】本発明の使用状態を示す斜視図である．
【図８】本発明の使用状態を示す斜視図である．
【図９】本発明の使用状態を示す斜視図である．
【図１０】本発明の使用状態を示す斜視図である．
【図１１】本発明の使用状態を示す斜視図である．
【図１２】本発明の使用状態を示す斜視図である．
【符号の説明】１．撮影機取付台  ２．撮影機取付具  ３．回転軸  ４．背面鏡  ５．側面鏡  ６．蝶番  ７．三脚取り付け具  ８．取り付け軸  ９．位置固定軸  １０．中心孔  １１．固定孔  １２．磁石  １３．鉄板  １４．取り付け孔  １５．中心軸  １６．固定盤  １７．映像表示板  １８．撮影機  １９．三脚
【図１】
2010160458.tif 000003
【図２】
2010160458.tif 000004
【図３】
2010160458.tif 000005
【図４】
2010160458.tif 000006
【図５】
2010160458.tif 000007
【図６】
2010160458.tif 000008
【図７】
2010160458.tif 000009
【図８】
2010160458.tif 000010
【図９】
2010160458.tif 000011
【図１０】
2010160458.tif 000012
【図１１】
2010160458.tif 000013
【図１２】
2010160458.tif 000014